(57)【要約】送信機同定コードは、コードが割り当てられるに従ってコードが変化するように設計されている。１つの実施例のコードは、コードが最初に決定される日付及び時間に関する情報を含む。第２の実施例のコードは、カウンターをインクリメントした後、そのカウンター情報を修正して最終的なコードが逐次的にならないように割り当てる。
2004519876.tif 000002
【特許請求の範囲】
【請求項１】
同定コードを遠隔入力用送信機に割り当てる方法であって、
（Ａ）コードを割り当てる時間により他のコードとは異なる数を与えて、逐次的に割り当てられるコードが連続する数にならないようにし、
（Ｂ）そのコードを遠隔入力用送信機に保存するステップより成る同定コードの割り当て方法。
【請求項２】
コードは、コード自体にセットする日付と時間を含むように決定される請求項１の方法。
【請求項３】
コードはまた、特定の組み立てラインに関する情報を含む請求項２の方法。
【請求項４】
コードは、最初にカウンターをインクリメントした後、別の動作によりカウンターの数を修正して最終的な数が逐次的にならないように決定される請求項１の方法。
【請求項５】
カウンターの数は、最終的なコード出力が逐次的にならないようにビットパターンと共に排他的論理和プロセスにかけられる請求項４の方法。
【請求項６】
自動車のコンポーネントに動作の実行をリクエストするスイッチを備えた送信機本体と、
逐次的でなく、しかもコードが決定される時間の順序で変化する情報を含むコードを送信する送信機とより成る遠隔入力用送信機。
【発明の詳細な説明】
【０００１】
【発明の背景】
本願は、常に唯一無二となるように、また連続する任意２つの送信機について連続する二進数とならないように遠隔入力用送信機に割り当てられる伝送同定コードに関する。
【０００２】
遠隔入力用送信機は、今日の自動車の大部分に利用されている。遠隔入力用送信機では、通常、キーフォブとして知られる小型の送信装置から信号が自動車へ送信される。自動車はこの信号を受信し、その信号に応じてそのコンポーネントを制御する。一例として、遠隔入力用送信機は自動車のドアの施錠及び解錠に使用される。
【０００３】
最初に送信機から自動車へ信号が送られると、自動車はその信号をチェックして送信機がその自動車にとり適正な送信機であるか否かを判定する。送信機は通常、他の送信機とは異なる唯一無二のコードを有する。このように、自動車の制御装置は、特定の信号を送信している特定の送信機がその自動車に対してプログラムされた送信機であるか否かを判定することができる。通常は、工場で自動車が最初に組み立てを完了し特定の送信機に関連付けられる時にプログラミングが行われる。例えばキーフォブを紛失した時などのように、後で送信機を自動車に対してプログラムすることもある。
【０００４】
一部の自動車製造会社の目標は、同一の送信機同定コードが存在しないようにすることである。この目標実現のために、同一番号が将来において使用されないように以前使用されたコードを全て保存する必要が生じている。
【０００５】
以前割り当てたコードを全てを保存する必要のない、遠隔入力用送信機への伝送同定コード簡略割り当て方式を提供することが望ましい。
【０００６】
【発明の概要】
本発明の実施例によると、逐次的に割り当てられる２つのコードは連続しないが、コードが送信機に割り当てられる時間に関する何らかの情報を含むような送信機同定コードが提供される。このようにすると、将来割り当てられるコードがそれぞれ唯一無二になるようにこれまで使用されたコードを保存することが不要になる。
【０００７】
第１の実施例では、コードの割り当てを、製造時間に関する情報を含むことによって行う。従って、コードは、最小限、日付と時間に応じた部分を有する。利用可能なコードの数を増加させる他の方法として、工場のコード、組み立てラインのコード及びさらに別のランダムな数などを含むものがある。このようにすると、日付と時間には反復性がないため、以前使用された送信機同定コードをデータベース化する必要がなくなる。時間が日付だけでなくて秒を含むようにすると、２つのコードの同一化を回避する確率が非常に高くなる。それに加えて工場とラインのコードを用いると、正確に同じ特定の時間に２つの異なる組み立てラインにおいて２つの異なる送信機にコードが割り当てられる場合であっても同一コードが使用されることがなくなる。
【０００８】
コードが割り当てられる「時間」が本願で何を意味するかについては、この「時間」は、コードが最初に識別される時間、最初に決定される時間または任意の他の方法に関連付けることが可能であることを理解されたい。重要なことは、コードはある事象に関連するある時刻を用いて識別されることである。このようにすると、上述したような唯一無二のコード化が可能となる。
【０００９】
第２の実施例では、各受信機に逐次的に増加するデジタル数を割り当てる。次いで、この割り当てた数を逐次的にならないようにある方式により修正する。１つの実施例では、カウンターの最初の数を、排他的論理和プロセスにおいてある標準ビットパターンにより修正することができる。一例として、１と０が繰り返すビットパターンとカウンターの最初の数とを排他的論理和プロセスにかけると、最終的に、その送信機用として唯一無二であり逐次的でない数が得られる。
【００１０】
この実施例は、最小のビット数で利用可能な全てコードを利用するという別の機能を提供する。
【００１１】
本発明の上記及び他の特徴は、添付図面を参照して以下の説明を読めば最も良く理解できるであろう。
【００１２】
【好ましい実施例の詳細な説明】
図１は、ドアの施錠／解錠機能をリクエストするようなスイッチ２１を備えた遠隔入力用送信機２０を示す。工場を２２で示すが、そこでコードが送信機に保存される。各送信機には、送信機から信号を受ける自動車がその送信機が適正なものであるか否かを明確に同定できるような同定コードが与えられなければならない。
【００１３】
本発明の第１の実施例において、送信機同定コードを少なくとも４種類の情報２４、２６、２８、２９を含むものとして示す。情報のボックス２４、２６、２８、２９を、一連のデジタルビットとして示す。これらのビットは例示的であるに過ぎず、ビット数または特定のビットが１か０かの事実の何れに関しても、本発明において使用可能な実際のビットを反映するものでない。
【００１４】
しかしながら、この実施例において、少なくとも１つのセクション２４は製造日に関する情報を、別のセクション２６は時間に関する情報を、別のセクション２８は工場または組み立てラインもしくはその両方に関する情報を含むようにするか、またはそれらが何れもランダム数でないようにする。各組み立てラインについてランダム数を用いると、組み立てラインまたは工場に関する特定のコード識別子を含めることが不要になるであろう。上述したように、送信機が並列組み立てラインで製造されている場合、日付及び時間だけによると同一コードが割り当てられる可能性が存在するため、別の数を用いるのが好ましい。
【００１５】
図２に示すように、送信機にそのコードがプログラムされると、自動車３２上の制御装置３０に信号を送信できる。自動車３２に割り当てられた送信機２０の伝送同定コードは、制御装置３０に教えてある。制御装置３０は、送信機２０から最初に信号を受信すると、受信したコードを予想されるコードと比較する。受信コードが適正であれば、制御装置は如何なる信号または動作がリクエストされているかをチェックして、その動作（即ち、ドアの解錠）を実行する。
【００１６】
最初に割り当てられた日付及び時間を含んだ伝送同定コードを用いると、コードは全て唯一無二となる。正確な日付及び時間には反復性がないため、この方法によると将来割り当てられる伝送同定コードはそれぞれ、以前割り当てられたコードとは異なるものとなる。
【００１７】
コードは常に唯一無二であるあるため、以前使用したコードを保存する必要がない。本発明は、何れの２つのコードも同一でないように保証する。
【００１８】
好ましい実施例において、図３のカウンター情報は、ビットパターンと共に排他的論理和プロセスにかけられる。一例として、ビットパターンは１と０が繰り返す一連のパターンでよい。カウンターの数とビットパターンとを排他的論理和プロセスにかけた場合の出力は、カウンターからの任意の入力について数が唯一無二の態様で連続するものであるが、これは逐次的でない。このようにすると、第２の実施例は、保存を不要にする態様で伝送同定コードを与える簡略方式を提供する。
【００１９】
コードの割り当ては、最初にカウンターの数を逐次的に割り当てた後、その逐次的に割り当てたカウンターの数を何らかの他の操作により修正して最終的なコードが逐次的でないように、且つ常に唯一無二であるようにして行う。カウンターを逐次的なようにセットすると全てのコードは唯一無二になるが、このように、本発明の主要な目的が達成される。この実施例は、日付と時間を割り当てる方法によっては達成されない、所与のビット数で利用可能な全てのコードを使用可能にするという別の利点を提供する。
【００２０】
本発明の好ましい実施例を図示説明したが、当業者は、本発明の範囲内に含まれるある特定の変形例及び設計変更を想到するであろう。そのため、本発明の真の範囲及び内容を決定するためには頭書の特許請求範囲を検討する必要がある。
【図面の簡単な説明】
【図１】
図１は、送信機同定コードを遠隔入力用送信機へ割り当てる工場の概略図である。
【図２】
図２は、自動車と遠隔入力用送信機との使用環境を示す。
【図３】
図３は、第２の実施例を示す。
【図１】
2004519876.tif 000003
【国際公開パンフレット】
2004519876.tif 000004
2004519876.tif 000005
2004519876.tif 000006
2004519876.tif 000007
2004519876.tif 000008
2004519876.tif 000009
2004519876.tif 000010
2004519876.tif 000011
【国際公開パンフレット（コレクトバージョン）】
2004519876.tif 000012
【手続補正書】
【提出日】平成14年8月21日(2002.8.21)
【手続補正１】
【補正対象書類名】明細書
【補正対象項目名】特許請求の範囲
【補正方法】変更
【補正の内容】
【特許請求の範囲】
【請求項１】
遠隔入力用送信機にそれぞれ唯一無二の同定コードを逐次的に割り当てる方法であって、
時間と共に変化する数値を有する反復性のない数を発生させ、
それぞれの時間における反復性のない数のそれぞれの数値をそれぞれ異なる唯一無二のコードに含め、
逐次的に割り当てられる同定コードがそれらに含まれる数値について逐次的にならないようにし、
それらのコードをそれぞれの遠隔入力用送信機に保存することによりコードの割り当てを行うステップより成る同定コードの割り当て方法。
【請求項２】
数値は、それぞれのコードが割り当てられる日付と時間により決定される請求項１の方法。
【請求項３】
遠隔入力用送信機の製造場所を示す別のデータをコードに含める別のステップを含む請求項１の方法。
【請求項４】
数値はカウンターのカウントを逐次的にインクリメントすることにより発生させ、さらに、逐次的に割り当てられるコードがそれらに含まれる数値について逐次的にならないようにする操作プロセスに数値をかけることにより発生される別のデータをそれらのコードに含めるステップを含む請求項１の方法。
【請求項５】
操作プロセスは、数値を排他的論理和プロセスにかけることより成る請求項４の方法。
【請求項６】
遠隔入力用送信機であって、
自動車のコンポーネントに動作の実行をリクエストするスイッチを備えた送信機本体と、
他の遠隔入力用送信機に逐次的に割り当てられる数値とは異なる、時間により変化して逐次的でない数値を有する反復性のない数から抽出される数値を含むその遠隔入力用送信機に保存された伝送同定コードである唯一無二のコードを送信する送信機とより成る遠隔入力用送信機。
【手続補正２】
【補正対象書類名】明細書
【補正対象項目名】００１０
【補正方法】変更
【補正の内容】
【００１０】
この実施例は、最小のビット数で利用可能な全てコードを利用するという別の機能を提供する。
ＧＢ−Ａ−２２５７５５２により、時間により変化するデータを遠隔制御技術に利用することが知られている。しかしながら、この公知文献は、割り当てられたコードの許可のないクローニングの問題と、割り当てられたコードが時間が経つにつれて進化する懸念及び、勿論それらのコード自体及びそれに応答する関連の受信機も正確に同じ態様で時間と共に進化する必要があるという問題に向けられたものである。しかしながら、本発明は、既に割り当てられたコードの保存（及び相互参照）を不要にする態様で唯一無二のコードの最初の割り当てを確実に行うという問題を解決するものである。
【国際調査報告】
2004519876.tif 000013
2004519876.tif 000014
2004519876.tif 000015